(57)【要約】【解決手段】ハンガー本体１の両側の腕部２間で吊りバー３を設け、吊りバー３の両側にクリップ４を取り付けている。両クリップ４は、一本の金属線材により折曲成形され、吊りバー３が挿通されるねじりコイルばね５と、互いに開閉動し得る両摘み１１，１２と、両摘み１１，１２に対する操作に伴いねじりコイルばね５の弾性力により吊りバー３を中心に閉動するとともにねじりコイルばね５の弾性力に抗して吊りバー３を中心に開動する両挟持部７，８とを備え、吊りバー３を中心にして回動可能に支持されるとともに吊りバー３に沿って移動可能に支持されて互いに接近離間可能である。両挟持部７，８には吊りバー３の軸線方向Ｘで相対向するように延設したメインフック９を設けている。両挟持部７，８間でズボン１３を挟持するとともに両挟持部７，８のメインフック９をズボン１３のベルト通し１３ａに引掛ける。【効果】ハンガーの使い勝手を良くする。【選択図】図１
2008200104.tif 000002
【特許請求の範囲】
【請求項１】
一対のズボン掛け用クリップを取り付けた吊りバーを備えたハンガーにおいて、この両クリップは、一本の金属線材により折曲成形され、吊りバーが挿通されるねじりコイルばねと、互いに開閉動し得る両摘みと、その両摘みに対する操作に伴いねじりコイルばねの弾性力によりその吊りバーを中心に閉動するとともにねじりコイルばねの弾性力に抗してその吊りバーを中心に開動する両挟持部とを備え、この吊りバーの軸線方向を中心にして回動可能に支持されるとともにこの吊りバーの軸線方向へ移動可能に支持されて互いに接近離間可能であって、この両クリップの両挟持部にはこの吊りバーの軸線方向で相対向する向きへ突出するメインフックを設け、この両クリップの両挟持部間でズボンを挟持するとともにその両挟持部のメインフックをこのズボンのベルト通しに引掛けることを特徴とするズボン掛け用クリップ付きハンガー。
【請求項２】
前記両クリップの両挟持部のうち、第一の挟持部はねじりコイルばねの両端部のうち一端部から一連に延びて折曲成形され、第二の挟持部はねじりコイルばねの両端部のうち他端部から一連に延びて折曲成形され、前記両クリップの両摘みのうち、第一の摘みは両挟持部のうち第一の挟持部から一連に延びて折曲成形され、第二の摘みは両挟持部のうち第二の挟持部から一連に延びて折曲成形されていることを特徴とする請求項１に記載のズボン掛け用クリップ付きハンガー。
【請求項３】
一対のズボン掛け用クリップを取り付けた吊りバーを備えたハンガーにおいて、この両クリップは、吊りバーが挿通されて互いに開閉動し得る両摘みと、その両摘みに対する操作に伴いばねの弾性力によりその吊りバーを中心に閉動するとともにばねの弾性力に抗してその吊りバーを中心に開動する両挟持部とを備え、この吊りバーの軸線方向を中心にして回動可能に支持されるとともにこの吊りバーの軸線方向へ移動可能に支持されて互いに接近離間可能であって、この両クリップの両挟持部にはこの吊りバーの軸線方向で相対向する向きへ突出するメインフックを設け、この両クリップの両挟持部間でズボンを挟持するとともにその両挟持部のメインフックをこのズボンのベルト通しに引掛けることを特徴とするズボン掛け用クリップ付きハンガー。
【請求項４】
前記両クリップにおいてメインフックを有する両挟持部は一本の金属線材により折曲成形されていることを特徴とする請求項３に記載のズボン掛け用クリップ付きハンガー。
【請求項５】
前記両クリップの両挟持部にはメインフックの突出向きに対する反対向き側で吊りバーの軸線方向へ延設したサブフックを設けたことを特徴とする請求項１から請求項４のうちいずれかの請求項に記載のズボン掛け用クリップ付きハンガー。
【請求項６】
前記両クリップの両挟持部は吊りバーの下方で開閉動し、前記両クリップの両摘みに設けた把持部は吊りバーの上方で開閉動し、その両挟持部及び両摘みの開閉動方向は吊りバーの軸線方向に対し直交する面に沿うことを特徴とする請求項１から請求項５のうちいずれかの請求項に記載のズボン掛け用クリップ付きハンガー。
【発明の詳細な説明】
【技術分野】
【０００１】
本発明は、一対のズボン掛け用クリップを取り付けた吊りバーを備えたハンガーに関するものである。
【背景技術】
【０００２】
従来、下記特許文献１においては、ハンガー本体（特許文献１の図中２）の吊りバー（特許文献１の図中３）に対しその軸線方向を中心に回動可能に且つその軸線方向へ移動可能に支持されたスライド部（特許文献１の図中４）から支持部（特許文献１の図中５）が下方へ延設され、この支持部に対しズボン掛け用クリップ（特許文献１の図中６）がこの支持部の軸線方向（吊りバーの軸線方向である横方向に対し直交する縦方向）を中心にして水平面上で開閉動可能に取り付けられている。
【特許文献１】特開２００４−２３０１２１号公報
【発明の開示】
【発明が解決しようとする課題】
【０００３】
上記特許文献１では、ズボン（特許文献１の図中１２）を吊りバーに巻き掛けてそのズボンの両側縁部を両クリップにより挟持するばかりでなく、ズボンを吊りバーに巻き掛けることなくそのズボンの両側縁部を両クリップにより挟持するとともにその両クリップをこのズボンのベルト通しに引掛けることができる。しかし、ズボンのサイズやベルト通しの数やベルト通しの間隔がズボンごとに異なり、ズボンの両側縁部からベルト通しまでの距離が必ずしも定まらないので、その距離が大きくなる場合もあることを考慮して両クリップのフックを十分に長くしなければならない。そのため、吊りバーで両クリップの間隔を最大にしてもフックが長過ぎると、両クリップのフックの間隔は狭くなり、両クリップを使用しないで吊りバーにズボンやスカートなどを巻き掛ける際に両クリップが邪魔になって、吊りバーに巻き掛けることができるズボンやスカートなどの幅寸法が制限される。従って、ハンガーの使い勝手が悪くなっていた。
【０００４】
この発明は、ズボン掛け用クリップ付きハンガーにおいて、吊りバーに対するズボン掛け用クリップの支持構造を改良し、使い勝手を良くすることを目的としている。
【課題を解決するための手段】
【０００５】
後記実施形態の図面（図１に示す第１実施形態、図２に示す第２実施形態、図３に示す第３実施形態）の符号を援用して本発明を説明する。
請求項１の発明にかかるズボン掛け用クリップ付きハンガーは、第１実施形態に対応し、下記のように構成されている。
【０００６】
このハンガーにおいては、一対のズボン掛け用クリップ４を取り付けた吊りバー３を備えている。このような吊りバー３を有するハンガーの形態については各種のものを例示することができる。例えば、後述する第１〜３実施形態のように、吊りバー３で軸線方向Ｘの両側にズボン掛け用クリップ４を取り付ける。より具体的には、フック１ａ等の引掛部を有するハンガー本体１の両側に設けた腕部２間でその吊りバー３を設ける。その吊りバー３については一本でもよいが、二本に分断してもよい。いずれにしても吊りバー３に一対のズボン掛け用クリップ４を取り付け、それらのズボン掛け用クリップ４を一組として機能させる。この両クリップ４は、一本の金属線材により折曲成形され、吊りバー３が挿通されるねじりコイルばね５と、互いに開閉動し得る両摘み１１，１２と、その両摘み１１，１２に対する操作に伴いねじりコイルばね５の弾性力によりその吊りバー３を中心に閉動するとともにねじりコイルばね５の弾性力に抗してその吊りバー３を中心に開動する両挟持部７，８とを備え、この吊りバー３の軸線方向Ｘを中心にして回動可能に支持されるとともにこの吊りバー３の軸線方向Ｘへ移動可能に支持されて互いに接近離間可能である。この両クリップ４の両挟持部７，８にはこの吊りバー３の軸線方向Ｘで相対向するように延設したメインフック９を設けている。この両クリップ４の両挟持部７，８間でズボン１３を挟持するとともにその両挟持部７，８のメインフック９をこのズボン１３のベルト通し１３ａに引掛ける。
【０００７】
請求項１の発明では、ハンガーを使用する際、両挟持部７，８間でズボン１３の上縁部を挟持するばかりでなく両挟持部７，８のメインフック９をベルト通し１３ａに引掛けるので、ズボン１３の落下を防止することができる。また、両クリップ４をベルト通し１３ａの付近まで移動させた状態でメインフック９をこのベルト通し１３ａに引掛けるので、メインフック９を長くする必要がなくなって両クリップ４のメインフック９の間隔が大きくなり、両クリップ４を使用しないで吊りバー３にズボン１３などを巻き掛ける際に両クリップ４が邪魔になりにくい。さらに、両クリップ４の支軸として吊りバー３を兼用しているとともにねじりコイルばね５を吊りバー３に対する支持部として利用しているので、吊りバー３に対する両クリップ４の支持構造を簡単にすることができる。さらに、両クリップ４が一本の金属線材により折曲成形されているので、両クリップ４に強度を持たせるとともに両クリップ４を軽量化することができる。
【０００８】
請求項１の発明を前提とする請求項２の発明（第１実施形態に対応）において、前記両クリップ４の両挟持部７，８のうち、第一の挟持部７はねじりコイルばね５の両端部６ａ，６ｂのうち一端部６ａから一連に延びて折曲成形され、第二の挟持部８はねじりコイルばね５の両端部６ａ，６ｂのうち他端部６ｂから一連に延びて折曲成形され、前記両クリップ４の両摘み１１，１２のうち、第一の摘み１１は両挟持部７，８のうち第一の挟持部７から一連に延びて折曲成形され、第二の摘み１２は両挟持部７，８のうち第二の挟持部８から一連に延びて折曲成形されている。請求項２の発明では、吊りバー３に支持されるねじりコイルばね５から両挟持部７，８及び両摘み１１，１２を一連に延設して簡単に折曲成形することができる。
【０００９】
請求項３の発明にかかるズボン掛け用クリップ付きハンガーは、第１〜３実施形態に対応し、下記のように構成されている。
このハンガーにおいては、一対のズボン掛け用クリップ４を取り付けた吊りバー３を備えている。このような吊りバー３を有するハンガーの形態について各種のものを例示することができる点は前述した通りである。この両クリップ４は、吊りバー３が挿通されて互いに開閉動し得る両摘み１１，１２と、その両摘み１１，１２に対する操作に伴いばね５の弾性力によりその吊りバー３を中心に閉動するとともにばね５の弾性力に抗してその吊りバー３を中心に開動する両挟持部７，８とを備え、この吊りバー３の軸線方向Ｘを中心にして回動可能に支持されるとともにこの吊りバー３の軸線方向Ｘへ移動可能に支持されて互いに接近離間可能である。この両クリップ４の両挟持部７，８にはこの吊りバー３の軸線方向Ｘで相対向するように延設したメインフック９を設けている。この両クリップ４の両挟持部７，８間でズボン１３を挟持するとともにその両挟持部７，８のメインフック９をこのズボン１３のベルト通し１３ａに引掛ける。
【００１０】
請求項３の発明では、ハンガーを使用する際、両挟持部７，８間でズボン１３の上縁部を挟持するばかりでなく両挟持部７，８のメインフック９をベルト通し１３ａに引掛けるので、ズボン１３の落下を防止することができる。また、両クリップ４をベルト通し１３ａの付近まで移動させた状態でメインフック９をこのベルト通し１３ａに引掛けるので、メインフック９を長くする必要がなくなって両クリップ４のメインフック９の間隔が大きくなり、両クリップ４を使用しないで吊りバー３にズボン１３などを巻き掛ける際に両クリップ４が邪魔になりにくい。さらに、両クリップ４の支軸として吊りバー３を兼用しているので、吊りバー３に対する両クリップ４の支持構造を簡単にすることができる。
【００１１】
請求項３の発明を前提とする請求項４の発明（第２実施形態に対応）にかかる両クリップ４において、メインフック９を有する両挟持部７，８は一本の金属線材により折曲成形されている。請求項４の発明では、両挟持部７，８が一本の金属線材により折曲成形されているので、両クリップ４に強度を持たせるとともに両クリップ４を軽量化することができる。
【００１２】
請求項１から請求項４のうちいずれかの請求項の発明を前提とする請求項５の発明（第１〜３実施形態に対応）において、前記両クリップ４の両挟持部７，８にはメインフック９の突出向きに対する反対向き側で吊りバー３の軸線方向Ｘへ延設したサブフック１０を設けている。請求項５の発明では、ズボン１３の上縁部に対する両挟持部７，８の押圧面積が増えるので、両挟持部７，８間でズボン１３の上縁部を強く挟持してズボン１３の落下を防止することができる。
【００１３】
請求項１から請求項５のうちいずれかの請求項の発明を前提とする請求項６の発明（第１〜３実施形態に対応）において、前記両クリップ４の両挟持部７，８は吊りバー３の下方で開閉動し、前記両クリップ４の両摘み１１，１２に設けた把持部１１ａ，１２ａは吊りバー３の上方で開閉動し、その両挟持部７，８及び両摘み１１，１２の開閉動方向は吊りバー３の軸線方向Ｘに対し直交する面Ｐに沿う。請求項６の発明では、ハンガーを使用する際、両摘み１１，１２を吊りバー３の上方で操作することにより、吊りバー３の下方で両挟持部７，８間にズボン１３の上縁部を挟持するとともに両挟持部７，８のメインフック９をベルト通し１３ａに引掛ける作業を行い易い。
【発明の効果】
【００１４】
本発明は、ズボン掛け用クリップ付きハンガーにおいて、吊りバー３に対するズボン掛け用クリップ４の支持構造を改良し、使い勝手を良くすることができる。
【発明を実施するための最良の形態】
【００１５】
まず、本発明の第１実施形態にかかるハンガーについて図１を参照して説明する。
図１（ａ）に示すように、中央にフック１ａを有するハンガー本体１の両側に設けられた腕部２間に吊りバー３が架設され、その吊りバー３で軸線方向Ｘの両側にズボン掛け用クリップ４が取り付けられている。
【００１６】
図１（ｂ）（ｃ）（ｄ）に示すようにこの両クリップ４は一本の金属線材により折曲成形されている。この両クリップ４においてねじりコイルばね５のコイル部６には吊りバー３が挿通されている。このコイル部６において吊りバー３の軸線方向Ｘ（横方向）の両側のうち、一側で下方に延びる一端部６ａから第一の挟持部７の金属線材が一連に延びて折曲成形されているとともに、他側で下方に延びる他端部６ｂから第二の挟持部８の金属線材が一連に延びて折曲成形されている。すなわち、この両クリップ４の両挟持部７，８のうち、第一の挟持部７においては、コイル部６の一端部６ａからメインフック９の金属線材がＵ状に湾曲されてそのメインフック９が吊りバー３の軸線方向Ｘに沿って突出しているとともに、このメインフック９の突出向きに対する反対向き側でメインフック９の金属線材からサブフック１０の金属線材がＵ状に湾曲されてそのサブフック１０が吊りバー３の軸線方向Ｘに沿って突出している。また、この両クリップ４の両挟持部７，８のうち、第二の挟持部８においては、コイル部６の他端部６ｂからサブフック１０の金属線材がＵ状に湾曲されてそのサブフック１０が吊りバー３の軸線方向Ｘに沿って突出しているとともに、このサブフック１０の突出向きに対する反対向き側でサブフック１０の金属線材からメインフック９の金属線材がＵ状に湾曲されてそのメインフック９が吊りバー３の軸線方向Ｘに沿って突出している。この第一の挟持部７のメインフック９と第二の挟持部８のメインフック９、並びに、この第一の挟持部７のサブフック１０と第二の挟持部８のサブフック１０とは、それぞれ、吊りバー３の軸線方向Ｘに対し直交する幅方向Ｙで相対向している。
【００１７】
さらに、第一の挟持部７においてサブフック１０の金属線材から第一の摘み１１の金属線材が一連に延びて折曲成形されているとともに、第二の挟持部８においてメインフック９の金属線材から第二の摘み１２の金属線材が一連に延びて折曲成形されている。この第一の摘み１１と第二の摘み１２とは、それらの間でねじりコイルばね５のコイル部６を挟んだ状態でそのコイル部６よりも上方に延設された把持部１１ａ，１２ａを有し、吊りバー３の軸線方向Ｘに対し直交する幅方向Ｙで相対向している。この第一の摘み１１と前記第一の挟持部７とで逆Ｔ字状をなすとともに、この第二の摘み１２と前記第二の挟持部８とで逆Ｔ字状をなす。
【００１８】
前記両クリップ４のうち一方のクリップ４の両挟持部７，８のメインフック９と他方のクリップ４の両挟持部７，８のメインフック９とは、吊りバー３の軸線方向Ｘで相対向している。この両クリップ４は、そのねじりコイルばね５のコイル部６で、吊りバー３に対しその軸線方向Ｘを中心にして回動可能に支持されるとともに、吊りバー３に対しその軸線方向Ｘへ移動可能に支持されて互いに接近離間し得る。この両クリップ４において、両摘み１１，１２を操作すると、両挟持部７，８はねじりコイルばね５の弾性力により吊りバー３を中心に吊りバー３の軸線方向Ｘに対し直交する鉛直面Ｐに沿って閉動するとともにねじりコイルばね５の弾性力に抗して吊りバー３を中心にこの鉛直面Ｐに沿って開動する。
【００１９】
第１実施形態にかかるハンガーを使用する際には、両クリップ４の間隔をズボン１３の上縁部幅に合わせて調節し、両摘み１１，１２に対する操作により両挟持部７，８間でズボン１３の上縁部を挟持するとともにその両挟持部７，８のメインフック９をこのズボン１３のベルト通し１３ａに引掛ける。なお、ズボン１３を吊りバー３に巻き掛けてそのズボン１３の両側縁を両クリップ４のメインフック９により挟持することもできる。
【００２０】
次に、本発明の第２実施形態にかかるハンガーについて第１実施形態との相違点を中心に図２（ａ）（ｂ）（ｃ）（ｄ）を参照して説明する。
両クリップ４において、両摘み１１，１２は両挟持部７，８に対し分離されて金属板により形成されている。この両摘み１１，１２において相対向する内側には吊りバー３の軸線方向Ｘの両側で支持板部１４が形成され、この両摘み１１，１２の両支持板部１４が互いに重合されてそれらの支持板部１４に吊りバー３が挿通されている。この両摘み１１，１２間で吊りバー３の外周にねじりコイルばね５が巻装され、そのねじりコイルばね５の両端部５ａ，５ｂが両摘み１１，１２の内側に当てがわれている。前記両挟持部７，８は、一本の金属線材により折曲成形され、メインフック９とサブフック１０とからなる。両摘み１１，１２の内側には吊りバー３の軸線方向Ｘの両側で連結部１５が形成され、メインフック９の連結端部９ａ及びサブフック１０の連結端部１０ａがこの連結部１５に挿着されている。この両クリップ４は、その支持板部１４で、吊りバー３に対しその軸線方向Ｘを中心にして回動可能に支持されるとともに、吊りバー３に対しその軸線方向Ｘへ移動可能に支持されて互いに接近離間し得る。
【００２１】
図３（ａ）（ｂ）（ｃ）（ｄ）に示す第３実施形態の両クリップ４においては、第一の摘み１１と第一の挟持部７、並びに、第二の摘み１２と第二の挟持部８とが、それぞれ、プラスチックにより一体成形されている点で、第２実施形態と相違する。
【００２２】
本実施形態は下記の効果を有する。
＊  第１〜３実施形態では、ハンガーを使用する際、両クリップ４をズボン１３のベルト通し１３ａの付近までズボン１３の上縁部に沿って移動させた後、両クリップ４の両挟持部７，８のメインフック９をこのベルト通し１３ａに引掛けるとともにこの両挟持部７，８間でズボン１３の上縁部を挟持することができる。そのため、ズボン１３をハンガーに掛けた際、ズボン１３の落下を防止することができる。従って、ハンガーの使い勝手が良くなる。
【００２３】
＊  第１〜３実施形態では、ズボン１３のサイズやベルト通し１３ａの数やベルト通し１３ａの間隔などに関係なく、両クリップ４をベルト通し１３ａの付近まで移動させた状態でメインフック９をこのベルト通し１３ａに引掛けるので、メインフック９を長くする必要がなくなる。そのため、両クリップ４を使用しない場合、両クリップ４のメインフック９の間隔を大きくすることができ、両クリップ４を使用しないで吊りバー３にズボン１３やスカートなどを巻き掛ける際に両クリップ４が邪魔になりにくい。従って、ハンガーの使い勝手が良くなる。
【００２４】
＊  第１〜３実施形態では、両クリップ４の両挟持部７，８間でズボン１３の上縁部を挟持した状態でその両挟持部７，８のメインフック９をズボン１３のベルト通し１３ａに引掛けるので、ベルト通し１３ａの内側とメインフック９との間には遊び空間が生じ易くなり、ズボン１３の重量は両挟持部７，８により受けられてベルト通し１３ａにかかりにくくなる。従って、ベルト通し１３ａが損傷しにくくなる。
【００２５】
＊  第１〜３実施形態では、両クリップ４のねじりコイルばね５が吊りバー３を中心に回動可能に且つ吊りバー３に沿って移動可能に支持されているので、両クリップ４の支軸として吊りバー３を兼用するとともにねじりコイルばね５を吊りバー３に対する支持部として利用することができる。従って、吊りバー３に対する両クリップ４の支持構造を簡単にすることができる。
【００２６】
＊  第１実施形態では両クリップ４が一本の金属線材により折曲成形され、第２施形態の両クリップ４では両挟持部７，８が一本の金属線材により折曲成形されているため、両クリップ４に強度を持たせるとともに両クリップ４を軽量化することができる。
【００２７】
＊  第１〜３実施形態の両クリップ４では、両挟持部７，８がメインフック９以外にサブフック１０も有しているため、ズボン１３の上縁部に対する両挟持部７，８の押圧面積が増え、両挟持部７，８間でズボン１３の上縁部を強く挟持してズボン１３の落下を防止することができる。
【００２８】
前記実施形態以外にも下記のように構成してもよい。
・  第１〜３実施形態において、吊りバー３の中央部をその軸線方向Ｘの両側で分断し、両クリップ４のうち一方のクリップ４を一方の吊りバー３に取り付けるとともに他方のクリップ４を他方の吊りバー３に取り付ける。
【００２９】
・  図示しないが、中央にフック等の引掛部を有する腕部の両側にそれぞれ吊りバーを設けてその各吊りバーにクリップを取り付けたり、一本の吊りバーの中央にフック等の引掛部を設けてその吊りバーの両側にクリップを取り付けたり、腕部の上端部にフック等の引掛部を設けるとともに腕部の下端部に一本の吊りバー設けてその吊りバーの両側にクリップを取り付けたり、複数本の吊りバーを縦に並設してその各吊りバーの両側にクリップを取り付けたりする。
【００３０】
・  第１〜３実施形態の両クリップ４において、サブフック１０を省略する。
・  第２〜３実施形態において、ねじりコイルばね５に代えて板ばねを採用する。
【図面の簡単な説明】
【００３１】
【図１】（ａ）は第１実施形態にかかるハンガー及びその使用状態を示す正面図であり、（ｂ）は（ａ）のクリップを示す部分拡大正面図であり、（ｃ）は（ａ）のクリップを示す部分拡大背面図であり、（ｄ）は（ａ）のＡ−Ａ線拡大断面図である。
【図２】（ａ）は第２実施形態にかかるハンガー及びその使用状態を示す正面図であり、（ｂ）は（ａ）のＢ−Ｂ線拡大断面図であり、（ｃ）は（ａ）のＣ−Ｃ線拡大断面図であり、（ｄ）は（ａ）のクリップを正面側から見た断面図である。
【図３】（ａ）は第３実施形態にかかるハンガー及びその使用状態を示す正面図であり、（ｂ）は（ａ）のＤ−Ｄ線拡大断面図であり、（ｃ）は（ａ）のＥ−Ｅ線拡大断面図であり、（ｄ）は（ａ）のクリップを正面側から見た断面図である。
【符号の説明】
【００３２】
１…ハンガー本体、２…腕部、３…吊りバー、Ｘ…吊りバーの軸線方向、４…ズボン掛け用クリップ、５…ねじりコイルばね、６…ねじりコイルばねのコイル部、６ａ…ねじりコイルばねの一端部、６ｂ…ねじりコイルばねの他端部、７…第一の挟持部、８…第二の挟持部、９…メインフック、１０…サブフック、１１…第一の摘み、１１ａ…把持部、１２…第二の摘み、１２ａ…把持部、１３…ズボン、１３ａ…ズボンのベルト通し。
【図１】
2008200104.tif 000003
【図２】
2008200104.tif 000004
【図３】
2008200104.tif 000005